(57)【要約】【課題】装置の大型化を抑え、かつコラムから払い出された商品を損傷させることなく取出口まで確実に搬送する。【解決手段】装置筐体１の内部に複数の商品を収納するコラム３０を備えるとともに、装置筐体１の下方部に取出口２２を備え、コラム３０の払出口３０ａから払い出された商品を取出口２２に搬送するようにした商品払出装置において、装置筐体１の内部に、コラム３０の払出口３０ａから取出口２２に至る間に上下に沿って延在する搬送路５０を設け、搬送路５０のカバー部材３３に可動当接部材５１及び固定当接部材５２を千鳥状に設けることにより、払出口３０ａから払い出された商品をそれぞれの上面５１Ａ，５２Ａに当接させて蛇行状に案内するようにした。【選択図】図４
2019021030.tif 000002
【特許請求の範囲】
【請求項１】
装置筐体の内部に複数の商品を収納するコラムを備えるとともに、前記装置筐体の下方部に取出口を備え、前記コラムの払出口から払い出された商品を前記取出口に搬送するようにした商品払出装置において、
前記装置筐体の内部には、前記コラムの払出口から前記取出口に至る間に上下に沿って延在し、前記払出口から払い出された商品を蛇行状に案内する搬送路が設けられていることを特徴とする商品払出装置。
【請求項２】
前記コラムは、上下に複数段設けられ、個々の下方部に設けた払出口からそれぞれ商品の払い出しを行うものであり、
前記搬送路は、少なくとも上段に位置するコラムの払出口から払い出された商品を蛇行状に案内するように構成されていることを特徴とする請求項１に記載の商品払出装置。
【請求項３】
前記搬送路は、互いに対向する通路壁から突出する複数の当接部を有し、これら複数の当接部が上下に沿って千鳥状に設けられていることを特徴とする請求項１に記載の商品払出装置。
【請求項４】
前記当接部には、前記通路壁から前記搬送路に向けて突出し、かつ突出端に向けて漸次下方に傾斜する当接面が設けられていることを特徴とする請求項３に記載の商品払出装置。
【請求項５】
前記当接面は、前記通路壁に固定された固定当接部材に設けられていることを特徴とする請求項４に記載の商品払出装置。
【請求項６】
前記当接面は、下方に向けて回転可能となる状態で前記通路壁に支持された可動当接部材に設けられ、前記可動当接部材は、前記通路壁との間に介在された弾性部材の付勢力によって前記当接面が傾斜した状態に維持されていることを特徴とする請求項４に記載の商品払出装置。
【請求項７】
前記当接面は、前記通路壁に固定された固定当接部材及び下方に向けて回転可能となる状態で前記通路壁に支持された可動当接部材に設けられ、前記可動当接部材は、前記通路壁との間に介在された弾性部材の付勢力によって前記当接面が傾斜した状態に維持されていることを特徴とする請求項４に記載の商品払出装置。
【請求項８】
前記通路壁の一方に前記可動当接部材が配設され、かつ前記通路壁の他方に前記固定当接部材が配設されていることを特徴とする請求項７に記載の商品払出装置。
【請求項９】
前記装置筐体は、前面が開口した箱状を成す筐体本体と、前記筐体本体の開口を開閉する状態で前記筐体本体に支持された扉体とを備えて構成し、
前記搬送路は、前記筐体本体と前記扉体との間に設けられ、前記扉体を開いた際に開放されることを特徴とする請求項１に記載の商品払出装置。
【請求項１０】
前記筐体本体及び前記扉体にそれぞれ前記コラムが設けられ、かつ前記筐体本体のコラムと前記扉体のコラムとの間に前記搬送路が設けられていることを特徴とする請求項９に記載の商品払出装置。
【発明の詳細な説明】
【技術分野】
【０００１】
本発明は、箱タバコや複数の箱タバコを収容してパッケージ化されたカートンタバコ等のように箱状を成す商品を払い出すための装置に関するものである。
【背景技術】
【０００２】
装置筐体の内部に収納された商品を順次払い出すように構成された商品払出装置としては、特許文献１に記載されたものがある。この商品払出装置では、複数の商品を収納するコラムの前面に上下に沿った搬送路を構成し、コラムの払出口から搬送路に商品を払い出すことにより、装置筐体の取出口まで商品を搬送している。この商品払出装置においては、商品の最大対角線長さよりも大きな前後寸法を有するように搬送路が構成されており、搬送路において商品が如何なる姿勢となった場合にも途中で商品詰まりを招来するおそれがない。
【先行技術文献】
【特許文献】
【０００３】
【特許文献１】特許第３４７６６４８号公報
【発明の概要】
【発明が解決しようとする課題】
【０００４】
ところで、商品払出装置において払出対象となる商品としては種々のものがある。例えば、箱タバコのように比較的小型なものであれば、上述のように最大対角線長さよりも大きな前後寸法を有するように搬送路を構成しても装置筐体が著しく大型化する事態を招来するおそれはない。しかしながら、例えば複数の箱タバコを収納してパッケージ化されたカートンタバコにあっては、最大対角線長さも極めて大きなものとなる。従って、カートンタバコを払出対象として商品払出装置を構成した場合には、その設置スペースも極めて大きなものとなり、設置場所が制限される等の問題を生じ得る。また、箱タバコの数倍〜数十倍程度の重量を有するカートンタバコが搬送路において自由落下した場合には、落下姿勢によっては角部が潰れる等、商品に損傷を来すおそれもある。特に、前後左右の寸法を削減して設置面積を狭小化した場合には、高さ方向に商品の収納スペースを確保せざるを得ず、より高い位置から商品が払い出されることになるため、上述の問題が顕著となる。
【０００５】
なお、上述の問題は、複数の箱タバコを収納したカートンタバコに限らず、比較的大きな外形寸法を有した商品や、比較的重量のある商品を払出対象とした場合に同様に生じ得るものである。
【０００６】
本発明は、上記実情に鑑みて、装置の大型化を抑え、かつコラムから払い出された商品を損傷させることなく取出口まで確実に搬送することのできる商品払出装置を提供することを目的とする。
【課題を解決するための手段】
【０００７】
上記目的を達成するため、本発明に係る商品払出装置は、装置筐体の内部に複数の商品を収納するコラムを備えるとともに、前記装置筐体の下方部に取出口を備え、前記コラムの払出口から払い出された商品を前記取出口に搬送するようにした商品払出装置において、前記装置筐体の内部には、前記コラムの払出口から前記取出口に至る間に上下に沿って延在し、前記払出口から払い出された商品を蛇行状に案内する搬送路が設けられていることを特徴とする。
【０００８】
また本発明は、上述した商品払出装置において、前記コラムは、上下に複数段設けられ、個々の下方部に設けた払出口からそれぞれ商品の払い出しを行うものであり、前記搬送路は、少なくとも上段に位置するコラムの払出口から払い出された商品を蛇行状に案内するように構成されていることを特徴とする。
【０００９】
また本発明は、上述した商品払出装置において、前記搬送路は、互いに対向する通路壁から突出する複数の当接部を有し、これら複数の当接部が上下に沿って千鳥状に設けられていることを特徴とする。
【００１０】
また本発明は、上述した商品払出装置において、前記当接部には、前記通路壁から前記搬送路に向けて突出し、かつ突出端に向けて漸次下方に傾斜する当接面が設けられていることを特徴とする。
【００１１】
また本発明は、上述した商品払出装置において、前記当接面は、前記通路壁に固定された固定当接部材に設けられていることを特徴とする。
【００１２】
また本発明は、上述した商品払出装置において、前記当接面は、下方に向けて回転可能となる状態で前記通路壁に支持された可動当接部材に設けられ、前記可動当接部材は、前記通路壁との間に介在された弾性部材の付勢力によって前記当接面が傾斜した状態に維持されていることを特徴とする。
【００１３】
また本発明は、上述した商品払出装置において、前記当接面は、前記通路壁に固定された固定当接部材及び下方に向けて回転可能となる状態で前記通路壁に支持された可動当接部材に設けられ、前記可動当接部材は、前記通路壁との間に介在された弾性部材の付勢力によって前記当接面が傾斜した状態に維持されていることを特徴とする。
【００１４】
また本発明は、上述した商品払出装置において、前記通路壁の一方に前記可動当接部材が配設され、かつ前記通路壁の他方に前記固定当接部材が配設されていることを特徴とする。
【００１５】
また本発明は、上述した商品払出装置において、前記装置筐体は、前面が開口した箱状を成す筐体本体と、前記筐体本体の開口を開閉する状態で前記筐体本体に支持された扉体とを備えて構成し、前記搬送路は、前記筐体本体と前記扉体との間に設けられ、前記扉体を開いた際に開放されることを特徴とする。
【００１６】
また本発明は、上述した商品払出装置において、前記筐体本体及び前記扉体にそれぞれ前記コラムが設けられ、かつ前記筐体本体のコラムと前記扉体のコラムとの間に前記搬送路が設けられていることを特徴とする。
【発明の効果】
【００１７】
本発明によれば、払出口から取出口に至る搬送路が商品を蛇行状に案内するものであるため、搬送路において商品の姿勢が整えられることになる。従って、搬送路が商品の最大対角線長さよりも大きな前後寸法を有していなくとも、途中で商品詰まりを招来するおそれがない。これにより、装置の大型化を招来することなく商品を取出口まで確実に搬送することが可能となる。しかも、搬送路において蛇行状に落下する商品は、その落下速度も抑えられることになり、角部が潰れる等の損傷を来すおそれもなくなる。
【図面の簡単な説明】
【００１８】
【図１】図１は、本発明の実施の形態である商品払出装置の外観を前方側から見た斜視図である。
【図２】図２は、図１に示した商品払出装置に適用する扉体を後方側から見た斜視図である。
【図３】図３は、図１に示した商品払出装置に適用する筐体本体を前方側から見た斜視図である。
【図４】図４は、図１に示した商品払出装置の断面側面図である。
【図５】図５は、図１に示した商品払出装置に適用するラックの斜視図である。
【図６】図６は、図１に示した商品払出装置に適用する扉体の背面図である。
【図７】図７は、図１に示した商品払出装置に適用する扉体においてラックのカバー部材を取り外した状態の背面図である。
【図８】図８は、図１に示した商品払出装置に適用する筐体本体の正面図である。
【図９】図９は、図１に示した商品払出装置に適用する筐体本体においてラックのカバー部材を取り外した状態の正面図である。
【図１０】図１０は、図１に示した商品払出装置のラックに適用する搬出ユニットの拡大斜視図である。
【図１１】図１１は、図１０に示した搬出ユニットの側面図である。
【図１２】図１２は、図１に示した商品払出装置の搬送路に設けた可動当接部材を下方から見た斜視図である。
【図１３】図１３は、図１に示した商品払出装置に適用するラックの要部を模式的に示したもので、払い出し待機状態の側面図である。
【図１４】図１４は、図１に示した商品払出装置に適用するラックの要部を模式的に示したもので、搬出ユニットが動作を開始した状態の側面図である。
【図１５】図１５は、図１に示した商品払出装置に適用するラックの要部を模式的に示したもので、ラックの商品が搬送路に払い出される直前の状態を示す側面図である。
【図１６】図１６は、図１に示した商品払出装置に適用するラックの要部を模式的に示したもので、ラックの商品が搬送路に払い出された直後の状態を示す側面図である。
【図１７】図１７は、図１に示した商品払出装置に適用するラックの要部を模式的に示したもので、図１６に示す状態から搬出ユニットのプッシャがわずかに後退した状態の側面図である。
【図１８】図１８は、図１に示した商品払出装置に適用するラックの要部を模式的に示したもので、図１７に示す状態から搬出ユニットのプッシャがさらに後退した状態の側面図である。
【発明を実施するための形態】
【００１９】
以下、添付図面を参照しながら本発明に係る商品払出装置の好適な実施の形態について詳細に説明する。
【００２０】
図１〜図４は、本発明の実施の形態である商品払出装置を示したものである。ここで例示する商品払出装置は、屋内に設置され、複数（例えば十数個）の箱タバコを収納してパッケージ化した複数種類のカートンタバコを払い出し対象商品Ｗとするもので、装置筐体１を備えている。装置筐体１は、商品払出装置の外殻を構成するもので、筐体本体１０及び扉体２０を備えている。筐体本体１０は、天壁１１、左右の側壁１２、底壁１３及び後壁１４を有して構成した前面に開口する箱状を成すものである。扉体２０は、筐体本体１０の開口１０ａを閉塞することのできる大きさの矩形状を成すもので、筐体本体１０の一側縁部に支持してある。この扉体２０は、上下に沿った軸芯を中心に回転することにより、筐体本体１０の開口１０ａを開いた状態と閉じた状態とに移動することが可能である。扉体２０と筐体本体１０との間には、施錠手段２が設けてあり、扉体２０を閉じた状態に維持することも可能である。
【００２１】
扉体２０の前面には、操作入力部２１が設けてある。操作入力部２１は、利用者が操作を行う部分である。操作入力部２１としては、例えば、後述のコラム３０に収納した複数種類の商品Ｗから所望の商品Ｗを選択するもので、タッチパネル式のものや押しボタン式のもの等がある。
【００２２】
筐体本体１０及び扉体２０には、それぞれコラム３０が設けてある。コラム３０は、図４〜図９に示すように、横長姿勢の商品Ｗを上下に積層した状態で複数収納する一方、払い出し指令が与えられた場合に最下位の商品Ｗから順次払い出しを行うものである。本実施の形態では、筐体本体１０及び扉体２０のそれぞれに上下３段、左右４列となる１２個のコラム３０を設けるようにしている。すなわち、水平方向に沿った上下仕切板３１を４枚配置するとともに、上下方向に沿った左右仕切板３２を５枚配置することにより、筐体本体１０及び扉体２０に１２個ずつコラム３０を設けるようにしている。筐体本体１０のコラム３０は扉体２０に対向する前面が開口し、扉体２０のコラム３０は筐体本体１０に対向する後面が開口している。
【００２３】
図４に示すように、筐体本体１０のコラム３０及び扉体２０のコラム３０は、扉体２０によって筐体本体１０の開口１０ａを閉じた場合、互いの間に搬送空間を確保した状態でいずれも筐体本体１０の内部に収容されるように構成してある。
【００２４】
個々のコラム３０には、それぞれカバー部材３３、弾性シート３４、ガイドバー３５、ゲート部材３６、搬出ユニット４０が配設してある。
【００２５】
カバー部材３３は、各コラム３０の下方部に払出口３０ａを確保した状態でコラム３０の開口を閉じるものである。これらのカバー部材３３は、扉体２０を閉じた場合、上述の搬送空間に上下に沿った搬送路５０を規定する通路壁として機能するものである。扉体２０のカバー部材３３と、筐体本体１０のカバー部材３３との相互間隔、つまり搬送路５０の前後に沿った幅Ｗ１は、払い出し対象となる商品Ｗの最大側面対角幅Ｗ２よりもわずかに大きな寸法となるように設定してある。図５に示すように、カバー部材３３は、ヒンジ（図示せず）によって支持してあり、コラム３０の開口を開閉することが可能である。図６に示すように、扉体２０のコラム３０には、各段のコラム３０で共通となるように上段、中段、下段にそれぞれ一枚ずつカバー部材３３が設けてある。これに対して筐体本体１０のコラム３０には、図８に示すように、各段のコラム３０に左右二枚ずつカバー部材３３が設けてある。
【００２６】
弾性シート３４は、カバー部材３３の下縁部からコラム３０の払出口３０ａを覆うように配設した弾性材からなる薄膜部材である。この弾性シート３４は、コラム３０の払出口３０ａから搬送路５０に向けて商品Ｗが払い出される際に商品Ｗが上方に浮き上がるのを防止するとともに、搬送路５０を通過する商品Ｗが払出口３０ａに入るのを防止するように機能するものである。
【００２７】
ガイドバー３５は、各コラム３０の両側部分に上下方向に沿って延在するように設けた金属製の細径部材であり、容易に弾性変形することが可能である。本実施の形態では、各コラム３０の上方に位置する上下仕切板３１の下面から前方に向けて延在した後、下方に向けてほぼ直角に屈曲するようにガイドバー３５が設けてある。ガイドバー３５の下端部は、それぞれブラケット３７を介して左右仕切板３２に支持してある。これらのガイドバー３５は、コラム３０に収納された商品Ｗの両側部分に当接することによって商品Ｗを整列するように機能する。コラム３０に商品Ｗを収納する場合には、ガイドバー３５を互いに弾性的に拡開することによって商品Ｗの通過が可能である。
【００２８】
ゲート部材３６は、カバー部材３３の下縁部から下方に延在したものであり、カバー部材３３に複数設けてある。これらのゲート部材３６は、上下方向に沿って移動可能に設けてあり、払い出すべき商品Ｗの高さに応じて払出口３０ａの実質的な高さ寸法を規定するものである。すなわち、ゲート部材３６は、取り付け位置を上下に調整し、その下端から上下仕切板３１までの高さ寸法を商品Ｗが１つだけ通過できるように設定することにより、商品Ｗが２つ同時に搬送路５０に払い出される事態を防止するように機能する。
【００２９】
搬出ユニット４０は、図１０及び図１１に示すように、ユニット本体４１に対して移動するプッシャ４２を備えたもので、払い出し信号が与えられた場合に動作し、プッシャ４２を介してコラム３０の商品Ｗを搬送路５０に払い出すように機能する。この搬出ユニット４０には、ユニット本体４１の上部に売切レバー４３が設けてある。売切レバー４３は、図示せぬ弾性部材によって常時ユニット本体４１の上面から突出するように付勢されたものである。ユニット本体４１の上面に商品Ｗが載置された場合には、その重量によって売切レバー４３が退行した状態となる。本実施の形態では、それぞれのコラム３０の内底面に２つずつ搬出ユニット４０が並設してある。
【００３０】
図３、図４に示すように、筐体本体１０において搬送路５０の下方となる部位には、シュータ６０が設けてあり、扉体２０においてシュータ６０に対向する部位には、取出口２２が設けてある。シュータ６０は、筐体本体１０の中央となる部位に平板状の受け板部６１を有するとともに、受け板部６１の左右及び後方となる部位にそれぞれ受け板部６１に向けて漸次低くなるように傾斜した傾斜板６２を有したものである。このシュータ６０では、搬送路５０に払い出された商品Ｗが傾斜板６２によって受け板部６１の上面に案内されることになる。取出口２２は、シュータ６０の受け板部６１に載置された商品Ｗを機外に取り出すための開口である。取出口２２には、透光性を有した薄板状のフラッパ２３が設けてある。フラッパ２３は、上縁部を介して回転可能となるように扉体２０に支持してあり、常態においては自重によって取出口２２を閉じた状態に維持されている。フラッパ２３の下縁部を手前側に引き寄せれば、取出口２２が開放することになり、受け板部６１の商品Ｗを機外に取り出すことが可能となる。
【００３１】
さらに、この商品払出装置には、搬送路５０に可動当接部材５１及び固定当接部材５２が設けてある。可動当接部材５１は、図１２に示すように、平板状を成すもので、基端縁部が支持軸部材５１ａを介して扉体２０の中段に位置するコラム３０のカバー部材３３に回転可能となる状態で支持してある。より具体的に説明すると、図２、図４、図６に示すように、扉体２０の中段に位置するコラム３０のカバー部材３３には、その上縁となる部位及び中央よりやや下方となる部位にそれぞれ４枚ずつ可動当接部材５１が設けてある。それぞれの可動当接部材５１には、カバー部材３３との間にネジリバネ５１ｂが介在させてある。このネジリバネ５１ｂは、可動当接部材５１の上面（当接面）５１Ａがカバー部材３３から離隔するに従って漸次下方となるように傾斜した状態に維持させるものである。可動当接部材５１の寸法は、ネジリバネ５１ｂによって傾斜した場合に、先端縁と筐体本体１０のコラム３０との間に隙間が確保されるように設定してある。下方に設けられた可動当接部材５１は、先端縁が筐体本体１０の中段に位置するコラム３０の払出口３０ａに対向するように配設してある。なお、ネジリバネ５１ｂの弾性力は、可動当接部材５１の上面５１Ａに商品Ｗが載置された場合に可動当接部材５１を下方に向けて回転させることができるように設定してある。
【００３２】
固定当接部材５２は、図３、図４、図５、図８に示すように、両側のフランジ部５２ａと、個々のフランジ部５２ａから互いに同一方向に向けて漸次近接するように傾斜延在した当接板部５２ｂとを有して構成した長尺部材であり、当接板部５２ｂが搬送路５０に向けて突出する状態で、筐体本体１０の中段及び下段に位置するコラム３０のカバー部材３３に左右方向に沿って取り付けてある。より具体的に説明すると、筐体本体１０の中段及び下段に位置するコラム３０のカバー部材３３には、それぞれの下縁部に個別の固定当接部材５２が取り付けてある。個々の固定当接部材５２において上方側に配置された当接板部５２ｂの上面（当接面）５２Ａは、カバー部材３３から離隔するに従って漸次下方となるように傾斜している。固定当接部材５２の突出寸法は、可動当接部材５１の先端縁と筐体本体１０のカバー部材３３との間の隙間とほぼ等しくなるように設定してある。
【００３３】
図４に示すように、搬送路５０に設けた可動当接部材５１及び固定当接部材５２は、上下に沿って千鳥状に配置されており、搬送路５０を通過する商品Ｗに対して可動当接部材５１及び固定当接部材５２が交互に当接することになる。
【００３４】
上記のように構成した商品払出装置では、扉体２０を開いて搬送路５０を開放し、さらにカバー部材３３を開くことでコラム３０が開放される。従って、この状態からそれぞれのコラム３０に商品Ｗの補充を行うことができる。商品Ｗの補充を行う場合には、上述したように、ガイドバー３５を互いに拡開させれば良い。その後、商品Ｗの高さに応じてゲート部材３６の高さを調整し、払出口３０ａの実質的な高さ寸法を商品Ｗが１つだけ通過できるように設定する。
【００３５】
コラム３０に収納された商品Ｗは、搬出ユニット４０の上面に載置された状態となる。より具体的には、図１３に示すように、コラム３０に収納された商品Ｗは、ユニット本体４１の上面及びユニット本体４１の前方に突出した搬出支持部材４４の上面に搭載された状態となる。このとき、商品Ｗにおいて搬送路５０に臨む端面には、待機支持部材４５の屈曲した先端部が対向している。従って、この状態から装置筐体１に振動や衝撃が加えられた場合にも、コラム３０の商品Ｗが不用意に搬送路５０に払い出されるおそれはない。商品Ｗの補充が終了し、扉体２０を閉じれば、商品Ｗの払い出し待機状態となる。
【００３６】
払い出し待機状態において操作入力部２１を通じて所望とする商品Ｗの選択を行うと、図示せぬ制御部から該当するコラム３０の搬出ユニット４０に対して払い出し信号が与えられ、２つの搬出ユニット４０が同期して動作することによりコラム３０の払出口３０ａから最下位の商品Ｗが搬送路５０に払い出されることになる。以下においては便宜上、筐体本体１０の上段に位置するコラム３０の商品Ｗが選択されたものとして説明を行う。
【００３７】
すなわち、制御部から払い出し信号が与えられた搬出ユニット４０では、プッシャ４２が最下位に位置する商品Ｗの端面に当接し、この状態のまま、図１４に示すように、プッシャ４２がユニット本体４１に対して前方に移動する。このとき、図示せぬ連動機構によって待機支持部材４５が下方に向けて回転することにより、待機支持部材４５の屈曲した先端部がユニット本体４１の上面よりも下方に退避する。これにより、コラム３０の最下位に位置する商品Ｗが搬送路５０に対して払い出し可能状態となる。
【００３８】
図１５に示すように、プッシャ４２がさらに前方に移動すると、図示せぬ連動機構によって搬出支持部材４４が下方に回転する。これにより、ユニット本体４１の上面から搬送路５０に向けて押し出された最下位の商品Ｗがその先端を下方に向けて傾動し、図１６に示すように、搬送路５０に払い出されることになる。このとき、ゲート部材３６が商品Ｗを１つだけ通過できるように設定してあり、さらに、ユニット本体４１の前方に位置するプッシャ４２によって上方の商品Ｗが後傾した状態となるため、２つの商品Ｗが同時に払い出される事態を招来するおそれはない。なお、商品Ｗの払い出しが完了すると、図１７に示すように、まず、搬出支持部材４４が上方に向けて回転し、払い出し待機状態に復帰する。この状態から図１８に示すようにプッシャ４２が後方に移動することで商品Ｗが再びユニット本体４１の上面及び搬出支持部材４４の上面に搭載された状態に復帰する。
【００３９】
一方、搬送路５０に払い出された商品Ｗは、まず、扉体２０のコラム３０に向けて払い出されるため、図４に示すように、上方に配置した可動当接部材５１の上面５１Ａに当接し、ネジリバネ５１ｂの弾性力に抗して可動当接部材５１を下方に回転させながら搬送路５０を下方に落下する。この間、商品Ｗは、可動当接部材５１からの反力によって筐体本体１０のコラム３０に向けて案内されることになり、次いで、上方に配置した固定当接部材５２の上面５２Ａに当接することになる。
【００４０】
上方の固定当接部材５２の上面５２Ａに当接した商品Ｗは、扉体２０のコラム３０に向けて案内され、次いで、下方に配置した可動当接部材５１の上面５１Ａに当接する。可動当接部材５１の上面５１Ａに当接した商品Ｗは、ネジリバネ５１ｂの弾性力に抗して可動当接部材５１を下方に回転させながら搬送路５０を下方に落下する。この間、商品Ｗは、可動当接部材５１からの反力によって筐体本体１０のコラム３０に向けて案内されることになり、次いで、下方に配置した固定当接部材５２の上面５２Ａに当接することになる。
【００４１】
下方の固定当接部材５２の上面５２Ａに当接した商品Ｗは、再び扉体２０のコラム３０に向けて案内され、その後、シュータ６０の受け板部６１に載置された状態となる。従って、利用者は、フラッパ２３の下縁部を手前側に引き寄せることにより、取出口２２を介して商品Ｗを機外に取り出すことができるようになる。
【００４２】
このように、上述の商品払出装置によれば、コラム３０から払い出された商品Ｗが可動当接部材５１の上面５１Ａ及び固定当接部材５２の上面５２Ａに順次当接しながら搬送路５０において蛇行状に案内されることになる。このため、商品Ｗは、落下速度が抑えられることになり、シュータ６０の受け板部６１に載置された時点で角部が潰れる等の損傷を来すおそれがない。しかも、可動当接部材５１及び固定当接部材５２に順次当接することにより、落下時の商品Ｗの姿勢が整えられることになり、例えば斜行した状態で落下するような事態を招来することがない。これにより、搬送路５０の前後に沿った幅Ｗ１が、商品Ｗの最大側面対角幅Ｗ２よりもわずかに大きな寸法となるように設定した場合であっても、途中で商品詰まりを招来するおそれがない。これにより、装置の大型化を招来することなく商品Ｗを取出口２２まで確実に搬送することが可能となる。
【００４３】
なお、上述した実施の形態では、商品Ｗとして複数の箱タバコを収納してパッケージ化したカートンタバコを例示しているが、本発明は必ずしもカートンタバコに限らず、その他の箱状を成す商品の払い出しにも適用することが可能である。この場合、商品としては、大型や重量物である必要はなく、例えば箱タバコを払い出すように構成してもよい。小型の商品を払い出す場合には、コラム３０に対して搬出ユニット４０を１つ用意すれば十分である。逆に、カートンタバコよりも大型の商品を払い出す場合には、商品の大きさに応じて搬出ユニット４０の数を増やせば良い。また、上下３段のコラム３０を備えた商品払出装置を例示しているが、コラムの数は実施の形態に限らない。さらに、下段のコラム３０から払い出された商品Ｗについては、落下する距離が短いため、可動当接部材及び固定当接部材の双方に当接することなくシュータ６０に搬出するようにしているが、下段のコラム３０から払い出された商品Ｗに対しても当接部を当接させるようにしてももちろん良い。
【００４４】
また、上述した実施の形態では、商品Ｗを選択することのみによって商品Ｗの払い出しを行うものを例示しているが、本発明はこれに限定されず、例えば、金銭の投入や金銭情報が入力されたことを条件として選択商品Ｗを払い出すように構成すること、つまり自動販売機として利用することも可能である。
【００４５】
さらに、上述した実施の形態では、搬送路５０の通路壁であるカバー部材３３において一方に可動当接部材５１のみを配設し、かつ他方に固定当接部材５２のみを配設して商品Ｗを蛇行状に案内するようにしているが、本発明はこれに限定されず、搬送路５０において商品Ｗが蛇行状に案内されれば、両方のカバー部材３３に可動当接部材５１のみを配設しても良いし、両方のカバー部材３３に固定当接部材５２を配設するようにしても構わない。また、それぞれのカバー部材３３に可動当接部材５１及び固定当接部材５２を混在させるようにしても良い。
【００４６】
またさらに、上述した実施の形態では、筐体本体１０及び扉体２０の双方にコラム３０を設けるようにしているが、必ずしも扉体２０にコラム３０を設ける必要はない。
【符号の説明】
【００４７】
１      装置筐体
２      施錠手段
１０      筐体本体
１０ａ      開口
１１      天壁
１２      側壁
１３      底壁
１４      後壁
２０      扉体
２１      操作入力部
２２      取出口
２３      フラッパ
３０      コラム
３０ａ      払出口
３１      上下仕切板
３２      左右仕切板
３３      カバー部材（通路壁）
３４      弾性シート
３５      ガイドバー
３６      ゲート部材
３７      ブラケット
４０      搬出ユニット
４１      ユニット本体
４２      プッシャ
４３      売切レバー
４４      搬出支持部材
４５      待機支持部材
５０      搬送路
５１      可動当接部材
５１Ａ      上面（当接面）
５１ａ      支持軸部材
５１ｂ      ネジリバネ
５２      固定当接部材
５２Ａ      上面（当接面）
５２ａ      フランジ部
５２ｂ      当接板部
６０      シュータ
６１      板部
６２      傾斜板
Ｗ      商品
Ｗ１      幅
Ｗ２      最大側面対角幅
【図１】
2019021030.tif 000003
【図２】
2019021030.tif 000004
【図３】
2019021030.tif 000005
【図４】
2019021030.tif 000006
【図５】
2019021030.tif 000007
【図６】
2019021030.tif 000008
【図７】
2019021030.tif 000009
【図８】
2019021030.tif 000010
【図９】
2019021030.tif 000011
【図１０】
2019021030.tif 000012
【図１１】
2019021030.tif 000013
【図１２】
2019021030.tif 000014
【図１３】
2019021030.tif 000015
【図１４】
2019021030.tif 000016
【図１５】
2019021030.tif 000017
【図１６】
2019021030.tif 000018
【図１７】
2019021030.tif 000019
【図１８】
2019021030.tif 000020